(57)【要約】【課題】座部を液（油）圧シリンダを用いて上昇させ自重により下降させるようにした歯科用治療椅子において、座部が軽い時つまり座部に人が座っていない時でも、座部の下降速度を落すことなく、下降させるようにした歯科用治療椅子を提供する。【解決手段】基台部２０に立設されたシリンダ２１と、該シリンダ２１内を上下動するピストン２２と、該ピストンの上部に取り付けられた座部１０とを有し、前記シリンダ２１内の油液に圧力を加えて前記座部１０を上昇させ、該座部１０の自重により下降させる。前記座部１０の下降速度を検出するセンサ７０と、前記シリンダ２１内の油液を排出する排液流路４０とを有し、前記センサ７０の出力信号に応じて前記排液流路４０からの油液の排出を制御して、座部１０の荷重の大小に関わらず、該座部１０の下降速度を所定の速度にするようにした。【選択図】図１
2007097749.tif 000002
【特許請求の範囲】
【請求項１】
基台部に立設されたシリンダと、該シリンダ内を上下動するピストンと、該ピストンの上部に取り付けられた座部とを有し、前記シリンダ内の油液に圧力を加えて前記座部を上昇させ、前記座部の自重により下降させるようにした歯科用治療椅子において、前記座部の下降速度を検出するセンサと、前記シリンダ内の油液を排出する排液流路とを有し、前記センサの出力信号に応じて前記排液流路からの油液の排出を制御して、前記座部の荷重に関わらず、該座部の下降速度を所定の速度にするようにしたことを特徴とする歯科用治療椅子。
【請求項２】
前記排液流路に流量調整弁を有し、該流量調整弁の開度を前記センサの出力信号に応じて制御するようにしたことを特徴とする請求項１に記載の歯科用治療椅子。
【請求項３】
前記排液流路に並行にバイパス流路を有し、該バイパス流路に設けられた開閉弁を前記センサの出力信号によって開閉制御するようにしたことを特徴とする請求項１又は２に記載の歯科用治療椅子。
【発明の詳細な説明】
【技術分野】
【０００１】
本発明は、歯科用治療椅子、より詳細には、油液の圧力によって上昇し自重によって下降する歯科用治療椅子において、下降時、椅子に患者が座っていなくても、つまり、椅子の自重が軽い時でも、座部の下降速度を所定の速度にするようにし、椅子の製作時、修理時等における試運転時の下降速度を速くして、作業をしやすくしたものである。
【背景技術】
【０００２】
図２は、本発明が適用される歯科用治療椅子の一例を説明するための要部構成図で、図中、１０は歯科用治療椅子の座部で、該座部１０は、安頭台１１、バックレスト１２、コンターシート１３、レッグレスト１４、フットレスト１５、肘受け１６等から成り、基台部２０に上下動可能に取り付けられており、周知のように、歯科治療に当たり、患者はコンターシート１３に座り、頭を安頭台１１に固定し、肘を肘受け１６の上に乗せた状態で治療を受ける。治療中、術者は座部１０を上下動、起倒、傾斜動等させて、患者を治療しやすい姿勢にして治療を行う。
【０００３】
基台部２０には、図３に概略的に示すように、例えば、シリンダ２１が立設されており、周知のように、該シリンダ２１内にはピストン２２が上下動可能に収容され、該ピストンの軸２３上には前記座部１０が取り付けられている。シリンダ２１の下部には該シリンダ２１内に液体を圧入するための流路３０が連通しており、該流路３０を通してシリンダ２１内に液体を圧入することによってピストン２２が上昇し、その結果、座部１０が上昇し、座部１０を所望の高さに調整することができ、従って、患者を診療しやすい高さにして診療することができる。
【発明の開示】
【発明が解決しようとする課題】
【０００４】
上述のごとき、液（油）圧シリンダを用いて座部を上下動させる歯科用治療椅子において、従来、座部１０を上昇させる時は、シリンダ２１に油液を圧入することによって座部１０を上昇させるようにしているが、座部１０を下降させる時は、座部１０の荷重（自重）に頼っており、歯科治療中は、座部１０に患者が乗っているため、座部１０の荷重が大きく、従って、座部１０は比較的スムーズに下降し、歯科治療においては問題はなかった。
【０００５】
しかし、製作時、修理時等において、試験運転等する場合、座部１０には患者等が乗っておらず、従って、座部１０の荷重が小さく、座部１０の下降に時間がかかり、製作時、修理時等における試験運転等をする時に無駄な時間がかかり、作業効率が悪く、使い勝手が悪かった。
【０００６】
本発明は、上述のごとき実情に鑑みてなされたもので、座部を液（油）圧シリンダを用いて上昇させ自重により下降させるようにした歯科用治療椅子において、座部が軽い時つまり座部に人が座っていない時でも、座部の下降速度を落すことなく、換言すれば、座部に患者が座っていない時でも座部に人が座っている時とほとんど変らない速度で下降させるようにした歯科用治療椅子を提供することを目的としてなされたものである。
【課題を解決するための手段】
【０００７】
上記課題を解決するために、請求項１の発明は、基台部に立設されたシリンダと、該シリンダ内を上下動するピストンと、該ピストンの上部に取り付けられた座部とを有し、前記シリンダ内の油液に圧力を加えて前記座部を上昇させ、前記座部の自重により下降させるようにした歯科用治療椅子において、前記座部の下降速度を検出するセンサと、前記シリンダ内の油液を排出する排液流路とを有し、前記センサの出力信号に応じて前記排液流路からの油液の排出を制御して、前記座部の荷重に関わらず、該座部の下降速度を所定の速度にするようにしたことを特徴としたものである。
【０００８】
請求項２の発明は、請求項１の発明において、前記排液流路に流量調整弁を有し、該流量調整弁の開度を前記センサの出力信号に応じて制御するようにしたことを特徴としたものである。
【０００９】
請求項３の発明は、請求項１又は２の発明において、前記排液流路に並行にバイパス流路を有し、該バイパス流路に設けられた開閉弁を前記センサの出力信号によって開閉制御するようにしたことを特徴としたものである。
【発明の効果】
【００１０】
本発明によると、座部の自重によって該座部が下降する歯科用治療椅子において、座部が軽くても、つまり、座部に患者が座っていなくても、座部を迅速（スムーズ）に下降させることができるので、製作時、修理時における試験運転時の作業が非常にしやすく、能率的に行うことができる。
【発明を実施するための最良の形態】
【００１１】
図１は、本発明による歯科用治療椅子の一実施例を説明するための要部概略構成図で、図中、２１はシリンダ、２２はピストンで、ピストン２２の上部には、図３に示したように、座部（概略的に示す）１０が取り付けられており、油液タンク５０の油液を流路３０よりシリンダ２１内に圧入して、ピストン２２を上昇させて座部１０を上昇させ、下降時は、シリンダ２１内の油液を排液流路４０を通して油液タンク５０内に排出してピストン２２（従って座部１０）を下降させるようにしている。
【００１２】
更に詳細に説明すると、流路３０には、ポンプ３１、開閉弁３２、ダンパ３３等が設けられ、排液流路４０には、開閉弁４１、流量調整弁４２、ダンパ４３等が設けられ、座部１０を上昇させる時は、バルブ３２を開き、ポンプ３１を駆動してオイルタンク５０内のオイルをシリンダ２１内に圧入してピストン２２を上昇させる。座部１０を下降させる時は、バルブ４１を開くことにより、シリンダ２１内の油液が座部１０の重さで押され、排出流路４０よりバルブ４１、流量調整弁４２、ダンパ４３等を通し、流量弁４２によって流量調整（速度調整）されてオイルタンク５０内に戻される。
【００１３】
図１において、７０は本発明によって付加された速度センサで、該速度センサ７０は、例えば、基台部２０側のシリンダ２１に固定された発受光センサ７１と、座部１０側に該座部１０と一体的に上下動する多孔板７２とから成り、周知のように、該発受光センサ７１はコ字型の一方の脚部７１ａの側に発光素子、他方の脚部７１ｂに受光素子を有し、該発光側脚部７１ａと受光側脚部７１ｂの間に前記多孔板７２を挟んで構成され、該多孔板７２が座部１０と一体的に上下動するとき、多孔板７２に設けられた孔７２ｃが発受光素子間を通過する単位時間当りの数を数えることにより、座部１０の移動速度を検知することができる。
【００１４】
本発明は、上述のごとき速度センサ７０を具備しており、例えば、速度センサ７０が１秒で５カウントする（多孔板７２の孔７２ｃを５個分通過したとする）時の速度を正常速度（基準速度）とした場合に、実際の下降速度が１秒で４カウントであれば、開閉弁４２に該開閉弁４２を開く信号を送って該開閉弁４２を開き、シリンダ２１からの油液の排出を多くして、座部１０の下降速度を速くする。このようにすると、患者が幼児等体重が軽い場合であっても、座部１０をスムーズに所定の又は所望の速さで下降させることができ、歯科治療を効果的に行うことができる。
【００１５】
図示例の場合、シリンダ２１からの油液排出流路は４０のみであるが、更に別の第２の排出流路（バイパス流路）８０を排出流路４０に並行に設け、この第２の排出流路（バイパス流路８０）にバルブ８１を設け、例えば、座部１０に人が座っていない時など、このバルブ８１を開いて、急速に下降させるようにすることも可能であり、この場合には、下降が必ずしもスムーズである必要はないので、流路８０内にダンパを設けても設けなくてもよい。
【図面の簡単な説明】
【００１６】
【図１】本発明による歯科用治療椅子の一実施例を説明するための要部概略構成図である。
【図２】本発明が適用される歯科用治療椅子の一例を説明するための全体概略構成図である。
【図３】従来の歯科用治療椅子の上下動機構の一例を説明するための要部概略構成図である。
【符号の説明】
【００１７】
１０…座部、１１…安頭台、１２…バックレスト、１３…コンターシート、１４…レッグレスト、１５…フットレスト、１６…肘受け、２０…基台部、２１…シリンダ、２２…ピストン、２３…座部支持軸、３０…油液圧入流路、３１…ポンプ、３２…バルブ、３２…開閉弁、３３…ダンパ、４０…油液排出流路、４１…開閉弁、４２…流量弁、４３…ダンパ、５０…オイルタンク、７０…速度センサ、７１…発受光センサ、７１ａ…発光側脚部、７１ｂ…受光側脚部、７２…多孔板、７２ｃ…孔、８０…バイパス排出流路、８１…開閉弁。
【図１】
2007097749.tif 000003
【図２】
2007097749.tif 000004
【図３】
2007097749.tif 000005